(57)【要約】【課題】  磁気テープに記録された情報の読取りを容易且つ確実に不能にする磁気テープの廃棄処理方法及び装置を提供すること【解決手段】  磁気テープの廃棄処理方法は、リール７３の巻心７３ａに渦巻状に巻回された状態にある磁気テープ７１を渦巻きの最外周部分７７ｃから巻心に接した最内周部分７７ｅまでの間の全体にわたって横断方向にまとめて切断する段階を含む。磁気テープ廃棄処理装置１は、磁気テープが配設される配設部２８，４１を備えると共に受け刃２１を備えた受け部２３，４０と、リール７３の巻心部７３ａの外周から巻回状態のテープの最外周部までの範囲を含む領域にわたって実質的に半径方向に延びる刃先部１７を備えた押し刃１０と、該押し刃１０を、磁気テープ７１を切断する切断位置Ｐ２と磁気テープ７１の配設・取出しを許容する離間位置Ｐ１との間で可動に支持する押し刃案内部２５，２４，５０とを有する。【選択図】図３
2006159328.tif 000002
【特許請求の範囲】
【請求項１】
リールの巻心に渦巻状に巻回された状態にある磁気テープを渦巻きの最外周部分から巻心に接した最内周部分までの間の全体にわたって横断方向にまとめて切断する段階を含む磁気テープの廃棄処理方法。
【請求項２】
前記横断方向が実質的にリールの半径方向である請求項１に記載の磁気テープの廃棄処理方法。
【請求項３】
切断されるべき磁気テープがカセットケース内においてリールに巻回されたカセット磁気テープ装置の磁気テープであり、前記切断は、渦巻き状態に巻回された磁気テープを該磁気テープが巻回されたリール及びカセットケースと共に切断することからなる請求項１又は２に記載の磁気テープの廃棄処理方法。
【請求項４】
前記切断を、一方向に行う請求項１から３までのいずれか一つの項に記載の磁気テープの廃棄処理方法。
【請求項５】
前記切断を切断刃によって行う請求項１から４までのいずれか一つの項に記載の磁気テープの廃棄処理方法。
【請求項６】
磁気テープが配設される配設部を備えると共に受け刃を備えた受け部と、
リールの巻心に渦巻状に巻回された状態の磁気テープが受け部に配設された際に、リールの巻心部の外周から巻回状態のテープの最外周部までの範囲を含む領域にわたって実質的に半径方向に延びる刃先部を備えた押し刃と、
該押し刃を、受け刃と協働して磁気テープを切断する切断位置と磁気テープの受け部への配設及び該受け部からの取出しを許容する離間位置との間で可動に支持する押し刃案内部と
を有する磁気テープ廃棄処理装置。
【請求項７】
前記押し刃の刃先は、リールに渦巻状に巻回された状態の磁気テープのうち外周側に位置する部分に対面する部分程磁気テープに近接するように傾斜したシャー角を有する請求項６に記載の磁気テープ廃棄処理装置。
【請求項８】
受け部が、押し刃の刃先を受容する凹部を備える請求項６又は７に記載の磁気テープ廃棄処理装置。
【請求項９】
押し刃の前記刃先部が片刃の形態のせん断用刃先からなる請求項６から８までのいずれか一つの項に記載の磁気テープ廃棄処理装置。
【発明の詳細な説明】
【技術分野】
【０００１】
本発明は、磁気テープを廃棄処理する方法及び装置に関する。
【背景技術】
【０００２】
磁気テープは、記録可能な情報量が大きく本体に対して着脱・交換可能であることから、長年情報処理データのバックアップ用に用いられており、確実なバックアップを確保するためにはその記録回数に限度があることから、多量の磁気テープの廃棄需要がある。しかしながら、磁気テープに記録された情報には、通常、機密性のあるものが含まれることから、情報の漏洩の虞れのない状態での廃棄が求められる。
【０００３】
また、磁気テープは、監視用等のために映像等を記録するビデオテープとして長年用いられている。これらの磁気テープは、通常、法律に従って７年間程度の保存の後、廃棄される。しかしながら、記録された映像には個人の映像が含まれるので、プライバシー保護のために、映像情報の漏洩の虞れのない状態での廃棄が求められる。
【０００４】
すなわち、いずれの場合にも、磁気テープに記録された情報の読出しを実際上不能にした状態で廃棄することが求められる。
【０００５】
このために、一方では、強磁場下で記録データないし情報を消去する方法が提案されている。しかしながら、磁気テープの全領域にわたってデータ・情報が完全に消去されたか否かを確認することが容易でないので、実際には、採用され難い。
【０００６】
従って、現状では、磁気テープをシュレッダの如き破砕装置によって、粉々に切断・粉砕することにより、磁気テープが廃棄されている（例えば、特許文献１参照）。
【０００７】
しかしながら、磁気テープは、該テープが巻回されるリールを含み、更に、多くの場合、カセットケースに収納されているので、磁気テープの破砕に際しては、該テープの細断だけでなく、リールやケースの破砕を要する。なお、ケースには、プラスチック材料だけでなく、金属材料片も含まれることから、該金属材料の破断又は分離処理を要する。従って、これらの全てを確実に切断・粉砕し得るようにするために、破砕装置は、大きな動力を要する。
【０００８】
また、近年、廃棄物のリサイクルが求められている。しかしながら、全てを、粉々に切断・粉砕してしまうことは、このリサイクルのためには、不都合である。
【０００９】
なお、カセットテープにおいて、カセットケースだけを切り取って、ケースとテープとを分離することは、提案されている（特許文献２）。また、廃棄を容易にするようなケースも提案されている（特許文献３等）。
【００１０】
しかしながら、前者は、時間と手間を要するだけでなく、磁気テープ自体の有効な廃棄処理の仕方を提供するものではない。後者は、従来からある膨大な数の磁気テープの廃棄処理には適用されない。なお、後者も、磁気テープ自体の有効な廃棄処理の仕方を提供するものではない。
【００１１】
なお、磁気テープの端部を廃棄するために、テープの先端部分をリールから引出し、該先端部分の一部を切断することは提案されている（例えば、特許文献４，５等）。
【００１２】
しかしながら、これらは、テープの全体を廃棄処理するものでないだけでなく、この方法をテープの全体の廃棄処理に適用する場合、廃棄処理に長時間を要することになる。また、減圧系を要することから、装置が大形化するのを避け難い。
【特許文献１】特開平５−１３８０５４号公報
【特許文献２】特開平８−３０６１５７号公報
【特許文献３】特開２００３−１５７６４７号公報
【特許文献４】特開平８−１１３３９９号公報
【特許文献５】特開２００３−３３１５５８号公報
【発明の開示】
【発明が解決しようとする課題】
【００１３】
本発明は，前記諸点に鑑みなされたものであり、その目的とするところは、磁気テープに記録された情報の読取りを容易且つ確実に不能にする磁気テープの廃棄処理方法及び装置を提供することにある。
【課題を解決するための手段】
【００１４】
本発明の磁気テープの廃棄処理方法は、上記目的を達成すべく、リールの巻心に渦巻状に巻回された状態にある磁気テープを渦巻きの最外周部分から巻心に接した最内周部分までの間の全体にわたって横断方向にまとめて切断する段階を含む。
【００１５】
本発明の磁気テープ廃棄処理方法では、「リールの巻心に渦巻状（換言すれば、ロール状ないしパンケーキ状）に巻回された状態にある磁気テープを渦巻きの最外周部分から巻心に接した最内周部分までの間の全体にわたって横断方向にまとめて切断する」ので、少数回の切断処理でリールに巻回された磁気テープの全体を多数の磁気テープ片に分断し得、テープに記録された情報の読取りを実際上不能にし得る。典型的には、横断方向の切断処理は、一箇所でよく、その場合には、一回の切断処理で済む。その場合でも、磁気テープは、リールの最大径部の一周分の長さ以下に分断されるので、情報の読み取りは実際上不可能になる。但し、所望ならば、複数箇所を切断してもよく、その場合、該複数回の切断処理を行えば足りる。なお、磁気テープカセット装置が複数（典型的には二つ）のリールを含む場合であって各リールに磁気テープが部分的に巻回されているときには、各リールに巻回された磁気テープを横断方向に切断すればよい。また、磁気テープが分断されたことは、一目瞭然であるから、安心して廃棄をすることが可能になる。
【００１６】
なお、切断後のテープの切断箇所をばらばらにしておくために、切断後のテープに振動を与えるか切断箇所をほぐすようにしてもよい。
【００１７】
磁気テープは、オープンリール式の磁気テープであっても、カセットケース内ににおいてリールに巻回されたカセット磁気テープであってもよい。カセットケース内においてリールに巻回されたカセット磁気テープの場合、カセットケースを磁気テープと共に、巻回状態の磁気テープの横断方向に、切断する。なお、この明細書において、磁気テープとリールやカセットケース（ある場合）とを含む全体を、磁気テープ装置と呼ぶ。
【００１８】
切断処理を受けるべき磁気テープ装置としては、磁気テープがリールに巻かれたものであれば、その形態は、どのようなものでもよく、磁気テープがカセットケースに収容されたカセットテープ形式のものでも、オープンリール形式のものでもよく、また、リールが複数（典型的には一対）のものでも一つのものでもよく、例えば、ＤＡＴ（Ｄｉｇｉｔａｌ  Ａｕｄｉｏ  Ｔａｐｅ）形式のものでも、ＤＤＳ（Ｄｉｇｉｔａｌ  Ｄａｔａ  Ｓｔｏｒａｇｅ）形式のものでも、ＡＩＴ（Ａｄｖａｎｃｅｄ  Ｉｎｔｅｌｌｉｇｅｎｔ  Ｔａｐｅ）形式のものでも、ＤＬＴ（Ｄｉｇｉｔａｌ  Ｌｉｎｅａｒ  Ｔａｐｅ）形式のものでも、ＬＴＯ（Ｌｉｎｅａｒ  Ｔａｐｅ−Ｏｐｅｎ）形式のものでもよい。
【００１９】
また、本発明による磁気テープの廃棄処理方法は、以上のようにして、巻回された磁気テープをその横断方向に切断するだけであるので、処理の完了後に、磁気テープ装置は、全体としてその外形を留め得るから、素材のリサイクルのための回収が容易に且つ紛れなく行われ得る。また、カセットケースを含む通常の磁気テープ装置において、カセットケースが部分的に切断されるので、その分解処理が容易になるから、リサイクル処理も容易になる。
【００２０】
すなわち、本発明による磁気テープの廃棄処理方法は、切断されるべき磁気テープがカセットケース内においてリールに巻回されたカセット磁気テープ装置の磁気テープであり、前記切断は、渦巻き状態に巻回された磁気テープを該磁気テープが巻回されたリール及びカセットケースと共に切断することからなる。
【００２１】
横断方向は、典型的には、実質的にリールの半径方向である。但し、リールに巻回された状態の磁気テープを、渦巻きの最外周部分から巻心に接した最内周部分までの間の全体にわたってまとめて一息に切断し得る限り、所望ならば、厳密に半径方向でなく半径方向からある程度ズレた方向に切断してもよい。
【００２２】
すなわち、本発明の磁気テープ廃棄処理方法において、典型的には、前記切断が、渦巻きの最外周部分から巻心に接した最内周部分までの範囲を含む領域にわたって、実質的に半径方向に、巻回状態の磁気テープを切断することからなる。
【００２３】
この場合、最小限の切断によって、テープを確実に分断し得る。また、実際上半径方向に切断することによって、切断の際に、リールが回転方向にズレル虞れを最低限に抑え得る。
【００２４】
切断は、レーザビームや熱線（熱ビーム）や流体のジェット（流）による切断であってもよいけれども、典型的には、切断刃によって行う。これにより、切断に要する設備を最低限にし得、また発熱によるガスの発生等を最低限に抑え得るので、多量の磁気テープの廃棄を要するところで、直接切断による廃棄処理を行うことが可能になる。
【００２５】
なお、切断刃としては、メタルソーやバンドソーでもよいけれども、磁気テープ自体は薄く（典型的には０．０２ｍｍ程度）、回転体で切断すると徐々にほつれて切断刃に絡みついたりリールが回ったりする虞れがあって危険な虞れがあることや細かい粉の発生を避け難いことから、好ましくは、押し刃の形態のせん断刃からなる。
【００２６】
本発明による磁気テープ廃棄処理装置は、前記目的を達成すべく、磁気テープが配設される配設部を備えると共に受け刃を備えた受け部と、リールの巻心に渦巻状に巻回された状態の磁気テープが受け部に配設された際に、リールの巻心部の外周から巻回状態のテープの最外周部までの範囲を含む領域にわたって実質的に半径方向に延びる刃先部を備えた押し刃と、該押し刃を、受け刃と協働して磁気テープを切断する切断位置と磁気テープの受け部への配設及び該受け部からの取出しを許容する離間位置との間で可動に支持する押し刃案内部とを有する。
【００２７】
本発明の磁気テープ廃棄処理装置では、「リールの巻心に渦巻状に巻回された状態の磁気テープが受け部に配設された際に、リールの巻心部の外周から巻回状態のテープの最外周部までの範囲を含む領域にわたって実質的に半径方向に延びる刃先部を備えた押し刃と、該押し刃を、受け刃と協働して磁気テープを切断する切断位置と磁気テープの受け部への配設及び該受け部からの取出しを許容する離間位置との間で可動に支持する押し刃案内部と」が設けられているので、押し刃を離間位置に設定した状態で受け部に磁気テープを配設し、押し刃案内部に案内された押し刃を切断位置に移動させることによって、リールに巻回された状態の磁気テープを、リールの巻心部の外周から巻回状態のテープの最外周部までの範囲を含む領域にわたって実質的に半径方向に切断し得る。従って、本発明の磁気テープ廃棄処理装置によりこの切断が一回だけ行われる場合でも、この切断により、磁気テープを実際上一巻き分（一周分）の長さに分断し得る。所望ならば、異なる半径方向箇所でリールに巻回された状態の磁気テープを切断することにより、磁気テープを実際上一巻きより短い長さに分断し得る。このように、一巻き分またはそれより短い長さに分断された磁気テープは、有効な情報の読み取りや再生が実際上行われ難くなるから、機密の漏洩やプライバシーの漏洩の虞れなく、廃棄され得る。従って、本発明の磁気テープ廃棄処理装置は、簡単な処理で、廃棄処理を可能にする。また、磁気テープが分断されたことは、一目瞭然であるから、安心して廃棄をすることが可能になる。
【００２８】
なお、切断後のテープの切断箇所をばらばらにしておくために、切断後のテープに振動を与える振動付与手段を設けておいたり、切断箇所をほぐす棒状手段を設けておいてもよい。
【００２９】
本発明の磁気テープ廃棄処理装置では、前記押し刃の刃先は、巻回状態の磁気テープを切断し得る限り渦巻状に巻回されたテープの渦巻き面に対して直角でもいずれの向きに傾斜していてもよいけれども、好ましくは、リールに渦巻状に巻回された状態の磁気テープのうち外周側に位置する部分に対面する部分程磁気テープに近接するように傾斜したシャー角を有する。
【００３０】
これにより、切断の際に押し刃の刃先が巻回状態の磁気テープをリールに押付けるような半径方向内向きの力を磁気テープに及ぼすので、この磁気テープに働く半径方向内向きの力をリールが背後で受けで支えることになるから、巻回状態の磁気テープの切断が容易且つ確実に行われ得る。なお、仮に、刃先が逆向きのシャー角を有する場合、巻回状態の磁気テープをリールから離す方向に即ち巻回状態の該テープをほどく方向の力が働くから、巻回状態の磁気テープの支えが不十分になって切断が容易には行われにくくなる虞れがあるけれども、刃先がリールに対面する向きのシャー角を有する場合には、このような虞れがない。なお、このシャー角は、典型的には、５度程度〜３０度程度である。但し、より大きくてもより小さくてもよい。
【００３１】
本発明の磁気テープ廃棄処理装置では、刃先が上述のようなシャー角を有する場合、押し刃案内部が、典型的には、押し刃のうち磁気テープのリールの巻心側とは反対側の側縁部を支える側縁支持部を備える。
【００３２】
この場合、押し刃が磁気テープをリールの巻心側に押付ける際に磁気テープから受ける半径方向外向きの反力に対して、押し刃を押し刃案内部の側縁支持部で支え得るから、押し刃が磁気テープを切断する力を磁気テープに確実に及ぼし得、磁気テープの切断が確実に行われ易い。
【００３３】
本発明の磁気テープ廃棄処理装置では、押し刃の前記刃先はせん断用刃先を先端部の両側縁に備えた両刃の形態であってもよいけれども、押し刃の前記刃先は、好ましくは、押し刃の先端部の一側縁に形成された片刃の形態のせん断用刃先からなる。
【００３４】
この場合、せん断力が狭い領域に集中され得るので、せん断が確実に行われ得るのみでなく、せん断の際に生じた小さなせん断屑が刃先のせん断側縁とは反対側に押し退けられるので、せん断が確実に進行し得る。即ち、片刃の形態のせん断刃からなる場合、比較的剛性の高いプラスチック材料からなるカセットケース内に磁気テープが収容されていても、カセットケースのうちの切断部に沿った部分だけが効果的に切断され得、比較的小さな駆動力で磁気テープ装置の磁気テープが切断され得る。なお、仮に、両刃の場合、二つの刃の間にせん断屑がたまり易いので、せん断の進行に伴って、せん断屑に大きな圧力がかかる虞れがあり、場合によっては、受け部が破壊される虞れがあることから、片刃の方が好ましい。
【００３５】
本発明の磁気テープ廃棄処理装置では、典型的には、受け部が、押し刃の刃先を受容する凹部を備える。
【００３６】
この場合、せん断屑が刃先の進行方向にも逃げ得るから、せん断が容易且つ確実に行われ得る。また、刃先が傾斜している場合に、磁気テープの半径方向の全域を確実に切断し得る。
【発明を実施するための最良の形態】
【００３７】
次に、本発明の好ましい一実施の形態を添付図面に示した好ましい一実施例に基づいて説明する。
【実施例】
【００３８】
図１には、本発明の好ましい一実施例の磁気テープ廃棄処理方法を実施するための本発明の好ましい一実施例の磁気テープ廃棄処理装置としての磁気テープ切断装置が、示されている。また、図２には、図１の磁気テープ切断装置のいくつかの部品が示されている。
【００３９】
磁気テープ切断装置１は、切断装置本体２と押し刃１０とを有する。以下では、押し刃１０が、図１に示したように、上下方向に移動されるとして説明するけれども、押し刃１０が、上下方向に移動される代わりに、水平方向又は斜め方向に移動されるように切断装置１が配置されていてもよい。また、以下では、説明の簡明化のために、＋Ｚ方向が鉛直方向上向きになるように、切断装置１に固定したＸ，Ｙ，Ｚ直交座標系を採る。
【００４０】
切断装置本体２は、受け刃プレート２０と受け板３０と保持ブロック４０とガイドプレート５０とを備える。
【００４１】
図１並びに図２の（ｃ）及び（ｄ）からわかるように、受け刃プレート２０は、押し刃１０側に位置する上縁部２２（＋Ｚ側縁部）に受け刃部２１を備え水平方向（＋Ｙ方向）に延びた受け本体部２３と、該受け本体部２３の一端（−Ｙ方向端部）から押し刃１０側すなわち上方（＋Ｚ方向）に一体的に延設された支柱部２４と、該支柱部２４の延設端から一体的に横方向（＋Ｙ方向）に延設され受け本体部２３に対向する状態で該受け本体部２３と平行に延びた長方形状のガイド部２５とを有し、全体としてほぼ「コ」の字状の厚板２６からなる。受け本体部２３のうち受け刃部２１としてせん断に必要な強度の刃厚を確保し、受け本体部２３のうち当該受け刃部２１として必要な厚さ部分よりも下方の部分２７では、厚さは不要であることからわずかに切欠かれて薄肉化されている。支柱部２４と受け本体部２３及びガイド部２５とは、応力集中を避けるべく、円弧状連結部２４ａ，２４ｂでつながっている。受け本体部２３の上面２８は、磁気テープを支える支持面Ａの一部をなす。
【００４２】
図１の（ａ）及び（ｂ）からわかるように、受け刃プレート２０の受け本体部２３の底部には受け板３０が固定され、該受け板３０には、受け刃プレート２０の受け本体部２３に対して＋Ｘ方向に間隔Ｂをおいて、凹部４４を形成する状態で保持ブロック４０が固定されている。受け刃プレート２０の受け本体部２３や保持ブロック４０と受け板３０との連結は、十分な剛性が確保される限りどのような構造・形態でもよく、所望ならば、一体物であってもよい。
【００４３】
受け板３０に固定された状態において、保持ブロック４０の上面４１は、受け刃プレート２０の受け本体部２３の上面２８と面一の状態にあり、両面４１，２８が全体として、切断処理されるべき磁気テープの支持面Ａをなす。
【００４４】
以上において、受け部４は、受け刃プレート２０の受け本体部２３と受け板３０と保持ブロック４０とからなる。また、磁気テープの配設部は、支持面Ａを与える受け本体部２３の上面２８と保持ブロック４０の上面４１とからなる。
【００４５】
図１並びに図２の（ａ）及び（ｂ）からわかるように、ガイドプレート５０は、受け刃プレート２０のガイド部２５と同様な長方形状を有する厚板からなり、中央部に、高さ方向Ｚの全域にわたって延びた溝ないし凹部５１を備える。凹部５１は、幅がＥで深さがＤである。受け刃プレート２０は、凹部５１の両側の厚肉部５２，５３で、受け刃プレート２０のガイド部２５の面２９に固定されている。面２９は、ガイド部２５だけでなく、支柱部２４及び受け本体部２３の受け刃部２１の全体にわたって面一の平面として拡がっている。ガイドプレート５０の凹部５１と受け刃プレート２０のガイド部２５の面２９とによって、幅がＥで厚さがＤの押し刃案内孔Ｆが形成されている。受け刃プレート２０のガイド部２５とガイドプレート５０との固定は、この例では、ガイドプレート５０のボルト挿通孔５４に挿通され受け刃プレート２０のガイド部２５のねじ孔２５ａ（図２の（ｄ））に螺着されたボルト５５によりなされているけれども、押し刃案内孔Ｆの周壁の剛性が維持される限り、溶接等の他のどのような手段で行われていてもよく、一体物でもよい。
【００４６】
以上において、押し刃案内部は、受け刃プレート２０のガイド部２５及び支柱２４とガイドプレート５０とからなる。
【００４７】
押し刃１０は、厚さがほぼＤで幅がほぼＥの厚板１１からなり、図１において実線で示した離間位置Ｐ１と図１に置いて想像線で示した切断位置Ｐ２との間で−Ｚ，＋Ｚ方向に摺動可能に押し刃案内孔Ｆに挿通されている。離間位置Ｐ１は被切断物である磁気テープ装置の装着・取出を許容する限り、図示の位置よりも高くても低くてもよい。また、切断位置Ｐ２は、磁気テープ装置のリールやカセットケースを過度に切断することなく磁気テープを切断し得る限り、図示の位置よりも図示の位置よりも高くても低くてもよく、また、ストッパで位置決めされても、被切断物の剛性や状態に応じて又は各回の切断操作において操作者により適宜選択可能であるなど厳密には定められていなくてもよい。押し刃１０の厚板１１は、−Ｘ側表面１２で受け刃プレート２０の表面２９に摺接し、＋Ｘ側表面１３でガイドプレート５０の凹部５１の底面５６（図２の（ａ））に摺接し、−Ｙ側側面１４でガイドプレート５０の凹部５１の側面５７に摺接し、＋Ｙ側側面１５で凹部５１の側面５８に摺接している。凹部５１の側面５７は、支柱部２４の＋Ｙ側側面２４ｃよりも−Ｙ側に位置しており、支柱２４の面２９が押し刃１０による切断加工の際に押し刃１０を支持・案内するガイド面になる。なお、受け刃プレート２０の支柱部２３に押し刃１０の側面１４を案内・支持する支持・案内面が形成されていてもよい。押し刃１０は、下端部に、片刃形態のせん断用刃部１６を備える。せん断用刃部１６は、受け部４の受け刃２１と協働して被切断物をせん断する。刃部１６の刃先縁１７は、支柱部２４から＋Ｙ方向に離れる程、支持面Ａから＋Ｚ方向に遠ざかるように傾斜したシャー角αを有する。このシャー角αは、好ましくは、５度程度〜３０度程度の範囲内である。また、片刃部１６の表面１３側の刃面１８は、ガイド部２５の面２９から＋Ｘ方向に離れる程、支持面Ａから＋Ｚ方向に遠ざかるように傾斜したシャー角βを有する。このシャー角βは、好ましくは、４５度程度〜６０度程度の範囲内である。シャー角βは、図示したように一段の傾斜面からなる代わりに、二段など多段の傾斜面になっていてもよい。
【００４８】
押し刃１０は、想像線で示した駆動手段ないし装置５に結合され、該駆動手段５によって、Ｚ方向に移動される。駆動手段５は、電動モータ及び減速機構とボールねじの如き回転・並進変換機構との組合せであっても、油圧シリンダ装置や空圧シリンダ装置の如き流体圧シリンダ装置であってもよい。流体圧シリンダ装置は、バネによって復帰する単動式のものでも往動及び復動の両方共に流体圧による複動式のものでもよい。孔１０ａは駆動手段による＋Ｚ方向への引上げの際の係合用の孔である。
【００４９】
図示した磁気テープ切断装置１は、その実質的な部分であって、所望に応じて、押し刃１０による怪我などの虞れを最低限にすべく押し刃の動作範囲の周囲を蔽う囲繞を含んだり、切断されるべき磁気テープの配設や位置決めを容易にするように配設部分の周囲を取囲む囲繞等を含む所望の筐体に収容され得る。押し刃１０が鉛直方向に移動する代わりに、水平方向や斜め方向に移動するような向きに磁気テープ切断装置１が筐体に組込まれる場合には、磁気テープ装置を所望位置で位置決め保持するためのバネ等を含む位置決め保持手段が設けられていてもよい。
【００５０】
次に、図１に示した磁気テープ切断装置１によって、図４の（ａ）に示したような磁気テープ装置７０の磁気テープ７１を切断する例について、主として、図３に基づいて説明する。
【００５１】
この磁気テープ装置７０は、カセットケース７２内において二つのリール７３，７４間で磁気テープ７１がガイドピンないしガイドローラ７５を介して繰出ないし巻取り・巻戻しされるように移動されるタイプのＶＨＳ形式のビデオテープ装置である。リール７３，７４は、図３の（ａ）及び（ｂ）並びに図４の（ａ）に示したように、夫々、巻心７３ａ，７４ａ及び円板状のフランジ部７３ｂ，７４ｂを含み、図３の（ｂ）からわかるように、巻心７３ａ，７４ａ間に延在しケース本体７２ａの前面側壁部７２ｂに中央部で支えられた金属製のバネ７６により巻心７３ａ，７４ａが押えられている。カセットケース７２は、ケース本体７２ａと該本体７２ａに対して開閉回動可能な蓋部７２ｃとを含み、剛性の比較的高いプラスチック材料からなる。バネ７６に加えて、蓋部７２ｃと本体７２ａとの間のバネ（図示せず）やガイドローラ等の一部の部品は金属製であり得る。以下では、説明の簡単化のために、磁気テープ７１が一方のリール７３に巻取られて渦巻状（ロール状ないしパンケーキ状）の状態Ｈにあるとする。
【００５２】
切断に際しては、まず、押し刃１０を上端の離間位置Ｐ１に設定した状態で、図３に示したとおり磁気テープ装置７０の一方の面（典型的には背面７０ａ）が切断装置１の支持面Ａに当接するように且つ特に図３の（ｂ）に示したとおり押し刃１０の刃部１６が磁気テープ装置７０のリール７３の巻心７３ａのうちバネ７６の重なっていない外周部分７３ｃから渦巻状Ｈの磁気テープ部分７７を実質的に半径方向に横切ってカセットケース７２の隣接側壁たとえば端壁７２ｄまでの部分に対向するように、磁気テープ装置７０を受け部の支持面Ａ上に載置する。
【００５３】
この切断装置１では、押し刃１０の側縁１４が支柱部２４の側面２４ｃよりも−Ｙ側に位置するので、被切断物である磁気テープ装置７０の端壁７２ｄを支柱部２４の側面２４ｃに当接させても、押し刃１０は、磁気テープ装置７０の端壁７２ｄの角部から切断を開始し得る（湾曲部２４ｂがない場合）。但し、押し刃１０の刃部１６の刃先部１７の＋Ｙ方向端部１７ａが巻心７３ａの外周部分７３ｃよりも＋Ｙ側に位置することになる場合には、磁気テープ装置７０のＹ方向の配設位置を調整・選択する。
【００５４】
次に、駆動手段５を駆動して、押し刃１０を−Ｚ方向に押し下げる。これにより、押し刃１０は、案内孔Ｆで案内されつつ、−Ｚ方向に下りて、カセットケース７２の端壁７２ｄの部分から磁気テープ装置７０の切断を開始する。切断装置１では、押し刃１０の刃先１７にシャー角αが形成されているので、剛性の比較的高いプラスチック材料からなるカセットケース７２の本体部７２ａの端壁部７２ｄが角部７２ｆから押し刃１０によって容易に切断され得る。
【００５５】
押し刃１０が更に−Ｚ方向に押し下げられると、押し刃１０の刃先１７が、ケース７２の端壁部７２ｄ及び上壁部７２ｂを切断すると共に、渦巻き状Ｈの磁気テープ部分７７を表面側７７ａから裏面側７７ｂに向かって−Ｚ方向に且つ最外周側部分７７ｃから内周側７７ｄに向かって−Ｙ方向に切断していく。ここで、磁気テープ部分７７では、磁気テープ７１がパンケーキ（渦巻きないしロール）の形態Ｈに巻かれているので、磁気テープ７１のパンケーキ体（渦巻き体ないしロール体）７７は剛性が比較的高いから、押し刃１０による切断が容易に行われ得る。また、押し刃１０では、刃先１７にシャー角αが形成されているので、切断の進行に伴い渦巻き状（パンケーキ状ないしロール状）の磁気テープ部分７７がリール７３の巻心７３ａに向かって半径方向内向きＪ１に押付けられ、該リール７３がその外周部において背面側で渦巻き状の磁気テープ部分７７を支えるから、押し刃１０によるせん断が容易且つ確実に進行し得る。なお、このせん断の進行の際に、押し刃１０は、反力として、渦巻き状の磁気テープ部分７７から半径方向外向きＪ２の力を受けるけれども、切断装置１の案内孔Ｆの面５７が押し刃１０の側面１４を支え且つ孔Ｆの面５８の上部が側面１５を支えるので、押し刃１０は、確実に−Ｚ方向に押し下げられ得る。
【００５６】
また、この押し刃１０では、片刃面１８にシャー角βが形成されているので、切断の完了した部分に対して押し刃１０の刃面１８が切断屑を最小限にする状態で−Ｚ方向に押込まれ易く、且つ該−Ｚ方向の押込みの際に押し刃１０の刃面１８が切断物を＋Ｘ方向に押し退け得るから若干の切断屑が生じても該生成物が切断の進行を妨げる虞れを最低限にし得る。更に、押し刃１０は、刃面１８で反力を受けて−Ｘ方向に押され得るので、せん断刃１６，２１によるせん断が容易且つ確実に行われ易い。
【００５７】
押し刃１０のうち磁気テープ７１の渦巻き状の磁気テープ部分７７の切断を完了した刃先部分１７は、ケース７２の裏面側壁部７２ｅを貫通して、磁気テープ装置７０のケース７２から−Ｚ方向に凹部４４内に突出する。押し刃１０の刃先１７のうちリール７３の巻心７３ａ側の縁部分１７ａが、リール７３の巻心７３ａの外周部分７３ｃを少なくとも部分的に切断すると共に、該巻心７３ａに隣接して位置する渦巻き状磁気テープ７７の最内周部分７７ｅの切断が完了する切断位置Ｐ２に刃先１７が達すると、切断処理が完了する。なお、切断位置Ｐ２は、図３の（ｂ）において想像線で示したように、実際には、最内周部分７７ｅの切断の後、刃先１７が更に−Ｚ方向に進んだ位置であり得る。この切断処理により、磁気テープ７１は、図４の（ｂ）において切断線７７ｆで示したように、半径方向領域７７ｇの全体が、切断される。切断が完了すると、駆動手段５が駆動されて、押し刃１０が切断位置Ｐ２から元の離間位置Ｐ１に＋Ｚ方向に戻される。
【００５８】
このように、半径方向に切断された渦巻き状状磁気テープ部分７７では、磁気テープ７１は、リール７３の一周分の長さ領域に分断される。従って、このように切断された磁気テープ７１からの情報の読み取りや再生は実際上行われ難い。その結果、このような切断処理を受けた磁気テープ７１を備えた磁気テープ装置７０は、情報の読取りや再生の虞れなく、実際上そのまま廃棄可能である。なお、所望ならば、切断されたテープ７１の切断線７７ｆの部分７７ｇをほぐしてもよい。
【００５９】
所望ならば、切断を切断線７７ｆに沿って一方向に行う代わりに、図４の（ｃ）に示したように、切断線７７ｆと交差する（例えば、ほぼ直角な）切断線７７ｈ，７７ｊに沿って更に切断してもよい。勿論、切断線７７ｆに沿った切断を行う代わりに、切断線７７ｈ又は７７ｊに沿った切断のみを行うようにしてもよい。
【００６０】
なお、磁気テープ７１がリール７３の巻心７３ａだけでなくリール７４の巻心７４ａにも部分的に巻かれた状態である場合には、切断線７７ｆや７７ｈや７７ｊと同様な切断線に沿って、リール７４の巻心７４ａに渦巻状に巻かれた磁気テープ７１を更に切断すればよい。
【００６１】
以上のようにして、磁気テープ７１がリール一巻き分以下の長さに分断された磁気テープ装置７０では、切断線７７ｇ等において切断されているだけであるので、ケース７２が元の形態（原型）を実際上留めているから、切断屑の発生が最低限に抑えられるだけでなく、リサイクル処理にそのまま回され得る。加えて、ケース７２が部分的に切断されているので、手作業による分解も容易に行われ得る。その結果、各材料への仕分けも容易且つ確実に行われ得るから、切断処理済みの磁気テープ装置７０は、高純度の再生材料として利用され得る。
【００６２】
なお、以上においては、金属製バネ７６を避けて切断するとして説明したけれども、十分大きい切断荷重をかけ得る場合には、金属材料部分をも切断するようにしてもよい。
【００６３】
切断処理を受けるべき磁気テープ装置としては、磁気テープがリールに巻かれたものであれば、その形態は、どのようなものでもよく、磁気テープがカセットケースに収容されたカセットテープ形式のものでも、オープンリール形式のものでもよい。また、リールが複数のものでも一つのものでもよく、例えば、ＤＡＴ形式のものでも、ＤＤＳ形式のものでも、ＡＩＴ形式のものでも、ＤＬＴ形式のものでもよい。なお、この明細書で、リールとは、磁気テープが渦巻状に巻かれるものをいい、通常は異なる名称で呼ばれるものでもよい。
【００６４】
例えば裏側壁部がアルミニウム板の如き金属板からなるデータカートリッジ形式の磁気テープ装置の場合、裏側壁面を貫通するような切断を行っても、（シャー角αに起因して）裏側壁部の一部を貫通するような切断を行っても、裏側壁部の表面側（内面側）の一部に切り込むような切断を行ってもよい。
【００６５】
図５の（ａ）には、リールが一つのＬＴＯ形式の磁気テープ装置７０ｋを示した。図５の（ａ）において、図４や図３に示した磁気テープ装置７０と同様な又は対応する部材や要素や部位には同一の符号の最後に添字ｋが付されている。このＬＴＯ形式の磁気テープ装置７０ｋを廃棄処理する場合、磁気テープ装置７０ｋを磁気テープ切断装置１の支持面Ａ上の所定部位に配置して、図５の（ｂ）に切断線７７ｆｋで示したように、ケース７２ｋの任意の一側壁７２ｄｋからリール７３ｋの巻心７３ａｋの外周部分７３ｃｋまでを、切断装置１の押し刃１０により、切断する。これにより、磁気テープ７１ｋの渦巻き状部分７７ｋは、一周毎に分断される。その他の点は、磁気テープ装置７０について、図３及び図４に関連して行った説明が実際上そのまま当てはまることは、明らかであろう。なお、この場合、巻心７３ａｋの外周部分７３ｃｋまで切断する代わりに、巻心７３ａｋの中心部まで切断してもよい。なお、場合によっては、巻心７３ａｋを越えて渦巻き状磁気テープ部分７７ｋの他方の側まで切断してもよいけれども、好ましくは、巻心７３ａｋまでで留めて、反対側から切断する方が好ましい。
【００６６】
図５の（ｃ）には、オープンリール形式の磁気テープ装置７０ｍを示した。図５の（ｃ）において、図４や図３に示した磁気テープ装置７０と同様な又は対応する部材や要素や部位には同一の符号の最後に添字ｍが付されている。このオープンリール形式の磁気テープ装置７０ｍを廃棄処理する場合、磁気テープ装置７０ｍを磁気テープ切断装置１の支持面Ａ上の所定部位に配置して、図５の（ｄ）に切断線７７ｆｍで示したように、リール７３ｍの外周部分７８からリール７３ｍの巻心７３ａｍの外周部分７３ｃｍまでを、切断装置１の押し刃１０により、切断する。これにより、磁気テープ７１ｍの渦巻き状部分７７ｍは、一周毎に分断される。その他の点は、ケースを欠く点を除き、磁気テープ装置７０について、図３及び図４に関連して行った説明が実際上そのまま当てはまることは、明らかであろう。なお、この場合、リール７３ｍの半径方向アーム部７９に沿って該アーム部７９を半径方向に切断してもよいけれども、典型的には、無駄な切断屑の発生を最低限に抑えるべく、アーム７９のない部分に沿って半径方向に切断する。なお、この場合にも、巻心７３ａｍの外周部分７３ｃｍまで切断する代わりに、巻心７３ａｍの中心部まで切断してもよい。
【００６７】
切断装置は、磁気テープ装置の磁気テープの渦巻状部分をその外周部分から巻心のところまで、カセットケースなどがある場合には該ケースと同時に切断し得る限り、図示したものの代わりに、他のどのような形状や構造のものでもよい。
【００６８】
また、本発明の切断方法を具現化するための切断装置は、せん断刃を備えたせん断装置の代わりに、場合によっては、メタルソーやバンドソーのようなソーであってもよく、また、素材が熱によりガスなどを発生し難い場合には、レーザビームや熱線などであってもよい。
【００６９】
なお、現時点においては、情報処理されるべき情報や映像等が記録されるテープが実際上磁気記録に限られることから、以上においては、テープを磁気テープと記載したけれども、リールに渦巻状に巻回されるテープであれば、磁気記録以外の形式で情報や映像等が記録されたものでもよく、この明細書において、磁気テープという用語はそれらを含み得る趣旨である。
【００７０】
また、特許請求の範囲に記載された発明の範囲には含まれないけれども、本発明の切断装置は、所望ならば、ＣＤ（コンパクトディスク）やＤＶＤ（多用途デジタルディスク）のようなディスク状の記録媒体であって記録可能なもの又は読取専用のものに機密情報やプライバシーに係る情報が含まれる場合に、それらのディスク状記録媒体を読み取り不能に処理するためにも用いられ得る。
【図面の簡単な説明】
【００７１】
【図１】本発明による好ましい一実施例の磁気テープ切断装置を示したもので、（ａ）は（ｂ）の右側面説明図、（ｂ）は正面説明図。
【図２】図１の磁気テープ切断装置の本体の部品を示したもので、（ａ）はガイドプレートの上面説明図、（ｂ）は（ａ）のＩＩＢ方向の平面（背面）説明図、（ｃ）は受け刃プレートの上面説明図、（ｄ）は（ｃ）のＩＩＤ方向の平面（正面）説明図。
【図３】図１の磁気テープ切断装置による磁気テープ切断処理を示したもので、（ａ）は図１の（ａ）と同様な方向から見た説明図（但し、磁気テープ装置については図４の（ａ）のＩＩＩＡ−ＩＩＩＡ線断面で示されている）、（ｂ）は図１の（ｂ）と同様な方向から見た説明図（但し、磁気テープ装置については図４の（ａ）のＩＩＩＢ−ＩＩＩＢ線断面で示されている）。
【図４】図３の磁気テープ切断処理で切断される磁気テープ装置を示したもので、（ａ）は切断処理前の状態を示した平面説明図、（ｂ）は一方向の切断処理が完了した状態についての（ａ）と同様な平面説明図、（ｃ）は三方向の切断処理が完了した状態についての（ａ）と同様な平面説明図。
【図５】図１の磁気テープ切断装置で切断される別の磁気テープ装置を示したもので、（ａ）はＬＴＯ形式の磁気テープ装置についての図４の（ａ）と同様な平面説明図、（ｂ）は（ａ）の磁気テープ装置の切断処理後の状態を示した（ａ）と同様な平面説明図、（ｃ）はオープンリール形式の磁気テープ装置についての（ａ）と同様な平面説明図、（ｄ）は（ｃ）の磁気テープ装置の切断処理後の状態を示した（ｃ）と同様な平面説明図。
【符号の説明】
【００７２】
１  磁気テープ切断装置
２  切断装置本体
４  受け部
５  駆動手段
１０  押し刃
１１  厚板
１２，１３  表面
１４，１５  側面
１６  片刃部
１７  刃先
１７ａ  縁部分
１８  片刃面
２０  受け刃プレート
２１  受け刃部
２２  上縁部
２３  受け本体部
２４  支柱部
２５  ガイド部
２８，４１  上面
２９  表面
３０  受け板
４０  保持ブロック
５０  ガイドプレート
５１  凹部
７０，７０ｋ，７０ｍ  磁気テープ装置
７０ａ  背面
７１，７１ｋ，７１ｍ  磁気テープ
７２，７２ｋ  カセットケース
７２ａ  ケース本体
７２ｃ  蓋部
７２ｄ  端壁
７３，７４，７３ｋ，７３ｍ  リール
７３ａ，７４ａ，７３ａｋ，７３ａｍ  巻心
７３ｂ，７４ｂ  フランジ部
７３ｃ  巻心外周部分
７７，７７ｋ，７７ｍ  渦巻状（ロール状ないしパンケーキ状）磁気テープ部分
７７ａ  表面側部分
７７ｂ  裏面側部分
７７ｃ  最外周部分
７７ｄ  内周側部分
７７ｅ  最内周部分
７７ｆ，７７ｈ，７７ｊ，７７ｆｋ，７７ｆｍ  切断線
７７ｇ  切断された半径方向領域
Ａ  支持面
Ｆ  押し刃案内孔
Ｈ  渦巻き状（ロール状ないしパンケーキ状）形態
Ｐ１  離間位置
Ｐ２  切断位置
Ｘ，Ｙ，Ｚ  座標系
α  シャー角
β  シャー角
【図１】
2006159328.tif 000003
【図２】
2006159328.tif 000004
【図３】
2006159328.tif 000005
【図４】
2006159328.tif 000006
【図５】
2006159328.tif 000007